(57)【要約】【課題】見やすい視野内表示装置（ファインダ内表示装置）を得る。【解決手段】焦点板に結像された被写体像を拡大して観察するためのルーペ光学系と、前記被写体像に重ねて又は代えて表示させるため、所定の情報を前記ルーペ光学系の視野内に入射させる情報入射装置と、を有する視野内表示装置であって、前記情報入射装置は、前記情報を表示する情報表示部から前記視野内に入射させる所定の入射点までの間の少なくとも一部の光軸と、前記ルーペ光学系を構成するレンズの光軸とが、ねじれの位置の関係を取るように、前記情報表示部から前記所定の入射点までの間に配置された光学素子を有する、ことを特徴とする視野内表示装置。【選択図】図１
2018151588.tif 000002
【特許請求の範囲】
【請求項１】
焦点板に結像された被写体像を拡大して観察するためのルーペ光学系と、
前記被写体像に重ねて又は代えて表示させるため、所定の情報を前記ルーペ光学系の視野内に入射させる情報入射装置と、
を有する視野内表示装置であって、
前記情報入射装置は、
前記情報を表示する情報表示部から前記視野内に入射させる所定の入射点までの間の少なくとも一部の光軸と、前記ルーペ光学系を構成するレンズの光軸とが、ねじれの位置の関係を取るように、前記情報表示部から前記所定の入射点までの間に配置された光学素子を有する、
ことを特徴とする視野内表示装置。
【請求項２】
請求項１に記載の視野内表示装置において、
前記光学素子は、前記情報表示部が表示した情報を拡大して所定の結像面に結像するリレー光学系を有し、
前記リレー光学系の前記情報表示部から前記所定の結像面までの光軸の少なくとも一部は、前記ルーペ光学系を構成するレンズの光軸に対してねじれの位置の関係を取る視野内表示装置。
【請求項３】
請求項１または請求項２に記載の視野内表示装置において、
前記焦点板に結像された被写体像を正立化する正立化部材をさらに有し、
前記光学素子は、前記情報表示部が表示した情報を拡大して所定の結像面に結像するリレー光学系を有し、
前記ルーペ光学系を構成する光学素子と前記リレー光学系を構成する光学素子は前記正立化部材を挟むように配置されている視野内表示装置。
【請求項４】
請求項１から請求項３のいずれかに記載の視野内表示装置において、
前記光学素子は、前記情報表示部が表示した情報を拡大して所定の結像面に結像するリレー光学系を有し、
前記情報入射装置は、前記リレー光学系による前記所定の結像面と前記正立化部材との間に配置されたコンデンサーレンズ系をさらに有する視野内表示装置。
【請求項５】
請求項４に記載の視野内表示装置において、
次の条件式（１）を満足する視野内表示装置。
（１）２．０＜ｆｅ／ｆｃ＜２．８
但し、
ｆｅ：前記ルーペ光学系の焦点距離、
ｆｃ：前記コンデンサーレンズ系の焦点距離。
【請求項６】
請求項４または請求項５に記載の視野内表示装置において、
次の条件式（２）を満足する視野内表示装置。
（２）１．２＜ｄ／ｆｃ＜１．６
但し、
ｄ：前記コンデンサーレンズ系の後側主点から前記リレー光学系の前側主点までの間隔、
ｆｃ：前記コンデンサーレンズ系の焦点距離。
【請求項７】
請求項１から請求項６のいずれかに記載の視野内表示装置において、
前記焦点板に結像された被写体像を正立化する正立化部材をさらに有し、
前記正立化部材は、前記被写体像が入射する入射面と、前記入射面に入射した前記被写体像を反射する一対のダハ面と、前記一対のダハ面が反射した前記被写体像を反射する第３反射面と、前記第３反射面が反射した前記被写体像を前記ルーペ光学系に向けて出射する出射面と、を有するペンタゴナルダハプリズムからなり、
前記ペンタゴナルダハプリズムの前記第３反射面は、前記情報入射装置からの前記所定の情報が入射する前記所定の入射点を含む半透過面からなる視野内表示装置。
【発明の詳細な説明】
【技術分野】
【０００１】
本発明は、視野内表示装置（ファインダ内表示装置）、例えば一眼レフカメラの光学ファインダに搭載される視野内表示装置に関する。
【背景技術】
【０００２】
一眼レフカメラの光学ファインダは、撮影レンズによる被写体像をクイックリターンミラーによって光路を偏向して焦点板上に形成し、焦点板上に形成した被写体像をペンタプリズム等の像反転手段を介して正立像とした後、ルーペ光学系によって拡大表示して、観察者が観察するように構成されている（略してＯＶＦ）。
【０００３】
一方で、このような一眼レフカメラでは、撮影レンズによる被写体像をクイックリターンミラーの収納時に撮像素子上に結像させ、撮像素子から出力される信号（画像信号）をカメラの背面液晶に表示することで被写体像を確認するライブビュー機能を有するものが一般的となっている。
【０００４】
また、クイックリターンミラーや光学ファインダを持たないミラーレス一眼カメラでは、撮像素子上に結像させた被写体像を電子ビューファインダで観察するタイプのものがある（略してＥＶＦ）。
【０００５】
カメラの背面液晶を用いる“いわゆるライブビュー”表示では、日中の野外のような明るい場所では液晶の輝度が十分ではないため電子ビューファインダで観察する方が良く、光学ファインダ内でも撮像素子上に結像させた電子像が観察可能なファインダ装置が望まれている。
【０００６】
一方、光学ファインダの像にオートフォーカス時の測距点位置などの比較的粗い点像を重ねて表示するスーパーインポーズ（略してＳＩ）機能については以前から知られている。ここで、クイックリターンミラーを収納し、撮像素子上に結像させた撮影レンズによる被写体像をスーパーインポーズ機能で表示させることができれば、光学ファインダを電子ビューファインダとして機能させることは可能である。
【０００７】
特許文献１及び特許文献２には、光学ファインダの像にオートフォーカス時の測距点を重ねて表示するスーパーインポーズ機能に関する技術が開示されている。
【先行技術文献】
【特許文献】
【０００８】
【特許文献１】特開平９−２３６８６０号公報
【特許文献２】特開２０００−１９４０５２号公報
【発明の概要】
【発明が解決しようとする課題】
【０００９】
特許文献１の実施例１では小型の液晶表示素子上に表示された像をリレー系（再結像光学系）によってコンデンサーレンズ内に設けた半透過面で反射させ、光学ファインダの像に重ねて表示する例が示されている。この例では表示光源として比視感度の低い長波長域のみ使用しているため、コンデンサーレンズ内に設けた半透過面を透過する光はわずかであり、透過光が焦点板で反射散乱する光はさほど問題にはならない。しかし、電子ビューファインダとして可視光域全体を用いてフルカラー表示させる場合は、光学ファインダとしての機能を維持するため透過率を高めなくてはならず、よって表示光の透過光が迷光となる率が高くなり、像のコントラストを著しく低下させるという問題がある。
【００１０】
特許文献１の実施例３及び特許文献２では、ペンタプリズムの第３反射面（前側反射面）を半透過面として設定し、液晶表示素子上に表示された像やＬＥＤの輝点などを光学ファインダの像に重ねて表示する例が示されている。この例の場合、光路中に視度合わせレンズを配置し、ルーペ光学系に対する液晶表示素子等の位置を、ルーペ光学系に対するピント板の位置と光学的に等価にする必要があるが、ファインダのルーペ光学系と、視度合わせレンズとの合成系としてのルーペ倍率が低いため、光学ファインダ視野に対して十分に広い表示領域を確保するためには大きな液晶表示素子が必要となり、安価な小型の液晶表示素子を使うことができないという問題がある。
【００１１】
本発明は、以上の問題意識に基づいてなされたものであり、見やすい視野内表示装置（ファインダ内表示装置）を得ることを目的とする。
【課題を解決するための手段】
【００１２】
本実施形態の視野内表示装置は、焦点板に結像された被写体像を拡大して観察するためのルーペ光学系と、前記被写体像に重ねて又は代えて表示させるため、所定の情報を前記ルーペ光学系の視野内に入射させる情報入射装置と、を有する視野内表示装置であって、前記情報入射装置は、前記情報を表示する情報表示部から前記視野内に入射させる所定の入射点までの間の少なくとも一部の光軸と、前記ルーペ光学系を構成するレンズの光軸とが、ねじれの位置の関係を取るように、前記情報表示部から前記所定の入射点までの間に配置された光学素子を有する、ことを特徴としている。
【００１３】
前記光学素子は、前記情報表示部が表示した情報を拡大して所定の結像面に結像するリレー光学系を有し、前記リレー光学系の前記情報表示部から前記所定の結像面までの光軸の少なくとも一部は、前記ルーペ光学系を構成するレンズの光軸に対してねじれの位置の関係を取ることができる。
【００１４】
前記焦点板に結像された被写体像を正立化する正立化部材をさらに有し、前記光学素子は、前記情報表示部が表示した情報を拡大して所定の結像面に結像するリレー光学系を有し、前記ルーペ光学系を構成する光学素子と前記リレー光学系を構成する光学素子は前記正立化部材を挟むように配置されていることができる。
【００１５】
前記光学素子は、前記情報表示部が表示した情報を拡大して所定の結像面に結像するリレー光学系を有し、前記情報入射装置は、前記リレー光学系による前記所定の結像面と前記正立化部材との間に配置されたコンデンサーレンズ系をさらに有することができる。
【００１６】
本実施形態の視野内表示装置は、次の条件式（１）を満足することが好ましい。
（１）２．０＜ｆｅ／ｆｃ＜２．８
但し、
ｆｅ：前記ルーペ光学系の焦点距離、
ｆｃ：前記コンデンサーレンズ系の焦点距離、
である。
【００１７】
本実施形態の視野内表示装置は、次の条件式（２）を満足することが好ましい。
（２）１．２＜ｄ／ｆｃ＜１．６
但し、
ｄ：前記コンデンサーレンズ系の後側主点から前記リレー光学系の前側主点までの間隔、
ｆｃ：前記コンデンサーレンズ系の焦点距離、
である。
【００１８】
前記焦点板に結像された被写体像を正立化する正立化部材をさらに有し、前記正立化部材は、前記被写体像が入射する入射面と、前記入射面に入射した前記被写体像を反射する一対のダハ面と、前記一対のダハ面が反射した前記被写体像を反射する第３反射面と、前記第３反射面が反射した前記被写体像を前記ルーペ光学系に向けて出射する出射面と、を有するペンタゴナルダハプリズムからなり、前記ペンタゴナルダハプリズムの前記第３反射面は、前記情報入射装置からの前記所定の情報が入射する前記所定の入射点を含む半透過面からなることができる。
【発明の効果】
【００１９】
本発明によれば、見やすい視野内表示装置（ファインダ内表示装置）が得られる。
【図面の簡単な説明】
【００２０】
【図１】第１実施形態によるファインダ内表示装置を示す図であり、図１Ａは平面図、図１Ｂは右側面図、図１Ｃは正面図をそれぞれ示している。
【図２】第２実施形態によるファインダ内表示装置を示す図であり、図２Ａは平面図、図２Ｂは右側面図、図２Ｃは正面図をそれぞれ示している。
【図３】第３実施形態によるファインダ内表示装置を示す図であり、図３Ａは平面図、図３Ｂは右側面図、図３Ｃは正面図をそれぞれ示している。
【発明を実施するための形態】
【００２１】
≪第１実施形態≫
図１Ａ〜図１Ｃを参照して、第１実施形態によるファインダ内表示装置（視野内表示装置）について説明する。第１実施形態によるファインダ内表示装置では、光路が複雑に折れ曲がるため、当該光路を理解し易いように、図１Ａの平面図、図１Ｂの右側面図、図１Ｃの正面図を使用して説明する。図１Ａ〜図１Ｃでは、紙面直交方向の光路を省略して、プリズムやミラーを一部省略して描いている。図１Ａ〜図１Ｃを組み合わせる（合成する）ことで、光路の折れ曲がりとこれを実現するための各光学要素の配置等の全体像を把握できるようになっている。以下では、説明の便宜上の理由により、ｘ方向を前後方向（図１Ａと図１Ｂにおける左が前方で右が後方）、ｙ方向を上下方向（図１Ｂと図１Ｃにおける上が上方で下が下方）、ｚ方向を左右方向（図１Ａにおける上と図１Ｃにおける左が左方で図１Ａにおける下と図１Ｃにおける右が右方）と呼ぶことがある。
【００２２】
ファインダ内表示装置は、図示を省略した一眼レフカメラの光学ファインダに搭載される。図示を省略しているが、一眼レフカメラは、被写体光を取り込む撮影レンズと、該撮影レンズが取り込んだ被写体光を上方に反射するミラーダウン位置と該撮影レンズが取り込んだ被写体光を後方に通過させるミラーアップ位置との間で回動するクイックリターンミラーとを有している。クイックリターンミラーがミラーアップ位置にあるとき、撮影レンズが取り込んでクイックリターンミラーを通過した被写体光は、図示を省略した撮像素子の受光面に被写体像として結像する。
【００２３】
ファインダ内表示装置は、クイックリターンミラーがミラーダウン位置にあるとき、撮影レンズが取り込んでクイックリターンミラーが上方に反射した被写体光が被写体像として結像する焦点板１０を有している。焦点板１０は、上述した撮像素子と光学的に等価な位置にある。
【００２４】
ファインダ内表示装置は、焦点板に結像された被写体像を正立化する正立化部材としてのペンタゴナルダハプリズム（以下ではペンタプリズムと呼ぶ）２０を有している。ペンタプリズム２０は、被写体像が入射する入射面２１と、この入射面２１に入射した被写体像を反射する一対のダハ面２２と、この一対のダハ面２２が反射した被写体像を反射する第３反射面２３と、この第３反射面２３が反射した被写体像をルーペ光学系４０に向けて出射する出射面２４とを有している。第３反射面２３は、半透過面から構成されており、後述する電子像入射装置（情報入射装置）６０からの電子像が入射可能（光学像と電子像が結合可能）になっている。すなわち、第３反射面（半透過面）２３は、後述する電子像入射装置（情報入射装置）６０からの所定の情報が入射する所定の入射点を含んでいる。
【００２５】
第３反射面（半透過面）２３の外側には、補助プリズム（三角プリズム）３０が接着されている。この補助プリズム３０は、後述する電子像入射装置６０からの電子像を反射して第３反射面（半透過面）２３に導く反射面３１を有している。
【００２６】
ファインダ内表示装置は、ペンタプリズム２０が正立化した被写体像（及び／又は後述する電子像入射装置６０から入射した電子像（所定の情報））を拡大してファインダ内に表示させて観察するためのルーペ光学系４０を有している。ルーペ光学系４０は、両凹負レンズからなる第１負レンズ４１と、両凸正レンズからなる第２正レンズ４２と、物体側に凸のメニスカスレンズからなる第３レンズ４３とを有している。第１負レンズ４１は両面に非球面を有しており、第２正レンズ４２は眼側の面に非球面を有しており、第３レンズ４３は物体側の面に非球面を有している。
【００２７】
ルーペ光学系４０と図示を省略したアイポイントの間には、カバーガラス５０が配置されている。
【００２８】
表１は、焦点板１０からカバーガラス５０までの被写体像の光路の折れ曲がりとこれを実現するための各光学要素の配置を把握するためのレンズデータ（アイポイント側からの、実際に光線が通過する方向とは逆向きで表現したレンズデータ）である。表２はルーペ光学系４０に設けられた非球面データである。表１と図１Ａ〜図１Ｃは、共通の符号を付すことにより、両者の対応関係を明確にしている。表１中において、Ｒは曲率半径、Ｄはレンズ厚又はレンズ間隔、Ｎｄはｄ線に対する屈折率、νｄはｄ線に対するアッベ数である。長さの単位は[mm]である。
回転対称非球面は次式で定義される（以下同様である）。
t=ch2/[1+[1-(1+K)c2h2]1/2] +A4h4+A6h6+A8h8 +A10h10+A12h12・・・
（但し、cは曲率（１／Ｒ）、hは光軸からの高さ、Ｋは円錐係数、Ａ４、Ａ６、Ａ８、・・・・・は各次数の非球面係数、tはサグ量）
なお、表１、３、５、７において、反射面前後の屈折率Nd及び間隔Dは符号を変えて表記するのが通例であるが、光路が複雑に折れ曲がるため、当該光路を理解し易いようにNd及びDは符号を変えずに記載し、反射面であることを示す記載と反射面角度を記してある。
［表１］
レンズデータ
面番号          R       D        Nd     νｄ  反射面角度      構成要素
1              ∞     1.00   1.51633    64.1
2              ∞     3.45         1
3(A)       -16.45     9.00   1.52538    56.3
4*         -18.69     1.60         1
5*          30.13     7.10   1.52538    56.3
6          -50.00     4.25         1
7*         -35.66     2.95   1.62133    24.8
8(B)*      149.90     2.23         1
9(C)           ∞    32.72   1.51633    64.1
10(D)          ∞    27.72   1.51633    64.1    α=25°  反射面（プリズム内）
11(E)          ∞    33.33   1.51633    64.1    β=20°  反射面（プリズム内）
12(F)          ∞     3.92         1
13(G)          ∞
＊は回転対称非球面である。
［表２］
非球面データ
面番号          K          ASP4          ASP6          ASP8
4               0      -7.2450E-06    3.7420E-08    0.0000E+00
5               0      -6.7320E-06    1.0000E-09    0.0000E+00
7               0       1.6860E-05    0.0000E+00    0.0000E+00
8               0       2.3390E-05   -4.2700E-08    1.0370E-10
【００２９】
ファインダ内表示装置は、ファインダ内で光学像に重ねて又は代えて表示させる電子像をペンタプリズム２０（補助プリズム３０）からルーペ光学系４０に入射させる電子像入射装置(情報入射装置)６０を有している。すなわち、電子像入射装置(情報入射装置)６０は、被写体像に重ねて又は代えて表示させるため、所定の情報をルーペ光学系４０の視野内に入射させる。
【００３０】
電子像入射装置６０は、上方に向けて電子像（情報）を表示する液晶表示面（電子像表示部、情報表示部）６１を有している。液晶表示面６１が表示する電子像は、例えば、撮影情報等のスーパーインポーズ情報（ファインダ内で光学像に重ねて表示させる電子像）、クイックリターンミラーがミラーアップ位置にあるときに撮像素子に結像した被写体像（ファインダ内で光学像に代えて表示させる電子像）とすることができる。液晶表示面６１は、ペンタプリズム２０の第３反射面２３の上方かつ第３反射面２３の左右方向の中央部より右側に位置している。
【００３１】
電子像入射装置６０は、液晶表示面６１の上方に位置する偏光ビームスプリッタ６２を有している。偏光ビームスプリッタ６２は、液晶表示面６１が表示する電子像の一部分（一偏光成分）を右方に反射する。
【００３２】
電子像入射装置６０は、偏光ビームスプリッタ６２の右方に位置する裏面反射凹面鏡６３を有している。裏面反射凹面鏡６３の直前には１／４λ板６４が配置されている。偏光ビームスプリッタ６２が反射した電子像は、１／４λ板６４を通って裏面反射凹面鏡６３で反射され、再び１／４λ板６４を通って偏光ビームスプリッタ６２に戻される。偏光ビームスプリッタ６２は、裏面反射凹面鏡６３と１／４λ板６４から戻された電子像の一部分（一偏光成分）を左方に透過する。
【００３３】
電子像入射装置６０は、偏光ビームスプリッタ６２の左方に位置する透過型非球面補正板６５を有している。透過型非球面補正板６５は、偏光ビームスプリッタ６２を透過した電子像の収差を補正する機能を持つ。
【００３４】
電子像入射装置６０は、透過型非球面補正板６５を通過した電子像を前方に反射する平面ミラー６６を有している。
【００３５】
電子像入射装置６０は、平面ミラー６６の前方（平面ミラー６６と補助プリズム３０の間）に位置するコンデンサーレンズ一体型プリズム６７を有している。平面ミラー６６で反射された電子像は、コンデンサーレンズ一体型プリズム６７内の拡大結像面ｇで結像（一次結像）される。すなわち、偏光ビームスプリッタ６２、裏面反射凹面鏡６３、１／４λ板６４、透過型非球面補正板６５、平面ミラー６６及びコンデンサーレンズ一体型プリズム６７の入射面は、液晶表示面６１が表示した電子像（情報）を拡大して所定の結像面に結像させる「リレー光学系（再結像光学系）」及び「リレー光学系を構成する光学要素」として機能する。以下、拡大結像面ｇで結像（一次結像）された電子像を「拡大電子像」と呼ぶ。
【００３６】
コンデンサーレンズ一体型プリズム６７は、拡大電子像を下斜め後方に反射する反射面６８と、反射面６８で反射された拡大電子像を補助プリズム３０の反射面３１に導くコンデンサーレンズ系として機能するコンデンサーレンズ面（射出面）６９を有している。コンデンサーレンズ面６９は、非球面を有している。コンデンサーレンズ面６９は、リレー光学系（６２〜６７）による電子像の拡大結像面ｇとペンタプリズム２０の間に配置されて、リレー光学系（６２〜６７）とルーペ光学系４０を接続する機能を持つ。
【００３７】
表３は、電子像入射装置６０の液晶表示面６１からカバーガラス５０までの被写体像の光路の折れ曲がりとこれを実現するための各光学要素の配置を把握するためのレンズデータ（アイポイント側からの、実際に光線が通過する方向とは逆向きで表現したレンズデータ）である。表４はルーペ光学系４０と透過型非球面補正板６５とコンデンサーレンズ面６９に設けられた非球面データである。表３と図１Ａ〜図１Ｃは、共通の符号を付すことにより、両者の対応関係を明確にしている。
［表３］
レンズデータ
面番号   R       D       Nd       νｄ    反射面角度         構成要素
1       ∞     1.00  1.51633     64.1                      カバーガラス
2       ∞     3.45      1
3(A)  -16.45   9.00  1.52538     56.3                      ルーペ光学系
4*    -18.69   1.60      1
5*     30.13   7.10  1.52538     56.3
6     -50.00   4.25      1
7*    -35.66   2.95  1.62133     24.8
8(B)* 149.90   2.23      1
9(C)     ∞   32.72  1.51633     64.1                      ペンタプリズム
10(D)    ∞   10.50  1.51633     64.1       α=25°    半透過面（透過光路）
11(e)    ∞   14.00  1.51633     64.1      ε=57.5°    反射面(プリズム内)
12       ∞    0.15      1
13*    15.00  16.01  1.52538     56.3                 コンデンサーレンズ面
14(f)    ∞   11.50  1.52538     56.3      φ=32.5°   反射面（プリズム内）
15       ∞    6.70      1
16(h)    ∞    9.17      1                 η=45.0°   反射面（平面ミラー）
17(i)*   ∞    1.50  1.52538     56.3                      非球面補正板
18       ∞    5.00  1.52538     64.1     
19(j)    ∞    5.00  1.52538     64.1           偏光ビームスプリッタ（透過）
20(k)    ∞    0.20  1.49176     57.5                          1/4λ板
21       ∞    2.00  1.52538     64.1
22(m)  -22.50  2.00  1.51633     64.1                      裏面反射凹面鏡
23(k)    ∞    0.20  1.49176     57.5                          1/4λ板
24       ∞    5.00  1.51633     64.1
25(j)    ∞    5.00  1.51633     64.1    ψ=45.0° 偏光ビームスプリッタ（反射）
26(n)    ∞    1.94     1
27(p)    ∞                                                    液晶表示面
＊は回転対称非球面である。
［表４］
非球面データ
面番号          K          ASP4          ASP6          ASP8
4               0      -7.2450E-06    3.7420E-08    0.0000E+00
5               0      -6.7320E-06    1.0000E-09    0.0000E+00
7               0       1.6860E-05    0.0000E+00    0.0000E+00
8               0       2.3390E-05   -4.2700E-08    1.0370E-10
13           -0.45      0.0000E+00    0.0000E+00    0.0000E+00
17              0      -2.0000E-04   -3.0000E-06    0.0000E+00
【００３８】
プリズム等の正立化部材の反射面で分岐させる従来型のスーパーインポーズ光学系は、撮影レンズの実像に対して縮小レンズにより０．５〜０．７倍程度縮小（アイポイント側から逆通しの配置で見た場合に縮小となる）した表示サイズで使われる。一般的な一眼レフカメラの光学ファインダのルーペ倍率は３〜４倍程度であるから、スーパーインポーズ光学系として５〜８倍程のルーペ倍率しか達成できなかった。しかしながら、安価で小型の液晶表示系を用いて比較的広い範囲（実施例ではＯＶＦ領域の７０％）にスーパーインポーズ及びＥＶＦ表示を行うためには、従来型の縮小レンズだけでは高いルーペ倍率（実施例では１９．１倍）は達成できない。
【００３９】
そこで本実施形態では、従来は縮小レンズの前方に配置した表示系の位置にリレー光学系（再結像光学系）を用いて小型液晶表示の像を再結像させて投影する方式とした。すなわち本実施形態は、小型の液晶表示部上の表示を再結像光学系で拡大して一次像を形成させ、コンデンサーレンズ系（コンデンサーレンズ面）を介してルーペ光学系に繋ぐ方式である。
【００４０】
リレー光学系は、一般に複数枚のレンズのみで構成すると光軸方向に長くなるという問題がある。第１実施形態では、リレー光学系を偏光ビームスプリッタ６２と裏面反射凹面鏡６３を組み合わせた反射光学系で構成している（後述する第２実施形態も同様である）。偏光ビームスプリッタ６２を使用した理由としては、まずもともと液晶表示系は直線偏光が掛かっているので、１／４λ板６４を使って裏面反射凹面鏡６３で反射後に９０°偏光方向を回せば、反射透過時の光量ロスを少なくできるという利点を利用したことにある。また、主光線が集まる位置に透過型非球面補正板６５を配置して、裏面反射凹面鏡６３と透過型非球面補正板６５を適切に配置することで球面収差、コマ収差、非点隔差を同時に補正する構成としている。また、ディストーションはコンデンサーレンズ系６９の非球面量を調整することで補正している。コンデンサーレンズ系６９で発生する倍率色収差が大きく残存する場合には、例えば液晶表示画像の大きさを色ごとに調整するソフトウェアによる補正で対応することが可能である。また、上記倍率色収差はコンデンサーレンズ系６９を色消し接合レンズとすれば補正できるが、この場合は、光学系の大型化が問題となるおそれがあるのでソフトウェア補正の方が好ましい。
【００４１】
本実施形態では、電子像入射装置（情報入射装置）６０が、情報を表示する液晶表示面（電子像表示部、情報表示部）６１からファインダ視野内に入射させる所定の入射点までの間の少なくとも一部の光軸と、ルーペ光学系４０を構成するレンズの光軸とが、ねじれの位置の関係を取るように、液晶表示面６１から所定の入射点までの間に配置された光学素子を有している。また、リレー光学系の液晶表示面６１から所定の結像面までの光軸の少なくとも一部が、ルーペ光学系４０を構成するレンズの光軸に対してねじれの位置の関係を取っている。より具体的に、リレー光学系の光軸のうち、液晶表示面６１から偏光ビームスプリッタ６２までの光軸、偏光ビームスプリッタ６２と裏面反射凹面鏡６３（１／４λ板６４）の間で往復する光軸、偏光ビームスプリッタ６２から透過型非球面補正板６５を通って平面ミラー６６に至るまでの光軸が、上記ねじれの位置の関係に該当する。この構成により、小型の液晶表示素子で広い表示領域を確保するとともに、小型化を図ることができる。
【００４２】
≪第２実施形態≫
図２Ａ〜図２Ｃを参照して、第２実施形態によるファインダ内表示装置について説明する。第１実施形態によるファインダ内表示装置と重複する部分には同一の符号を付してその説明を省略する。特に、焦点板１０からカバーガラス５０までの被写体像の光路の折れ曲がりとこれを実現するための各光学要素の配置は、第１実施形態のそれと全く同じであるため、表１と表２を流用することにする。
【００４３】
第１実施形態のリレー光学系は、偏光ビームスプリッタ６２で反射と透過が各１回となる一往復タイプであった。そのため、リレー光学系がやや長くなり、偏光ビームスプリッタ６２がペンタプリズム２０に対して横に（ｚ方向に）張り出す構成となっていた。
【００４４】
これに対し、第２実施形態のリレー光学系は、反射型の非球面補正板を配置することにより偏光ビームスプリッタで反射と透過が各２回となる二往復タイプを採用している。そのため、リレー光学系がよりコンパクトになり、偏光ビームスプリッタをペンタプリズムに対して左右方向（ｚ方向）の中央となる位置に配置することが可能となっている。
【００４５】
第２実施形態のファインダ内表示装置は、第１実施形態の電子像入射装置６０に代えて、電子像入射装置（情報入射装置）７０を有している。
【００４６】
電子像入射装置７０は、前方に向けて電子像を表示する液晶表示面（電子像表示部、情報表示部）７１を有している。液晶表示面７１は、ペンタプリズム２０の第３反射面２３の上方かつ第３反射面２３の左右方向の中央部に位置している。
【００４７】
電子像入射装置７０は、液晶表示面７１の前方に位置する偏光ビームスプリッタ７２を有している。偏光ビームスプリッタ７２は、液晶表示面７１が表示する電子像の一部分（一偏光成分）を右方に反射する。
【００４８】
電子像入射装置７０は、偏光ビームスプリッタ７２の右方に位置する裏面反射凹面鏡７３を有している。裏面反射凹面鏡７３の直前には１／４λ板７４が配置されている。偏光ビームスプリッタ７２が反射した電子像は、１／４λ板７４を通って裏面反射凹面鏡７３で反射され、再び１／４λ板７４を通って偏光ビームスプリッタ７２に戻される。偏光ビームスプリッタ７２は、裏面反射凹面鏡７３と１／４λ板７４から戻された電子像の一部分（一偏光成分）を左方に透過する。
【００４９】
電子像入射装置７０は、偏光ビームスプリッタ７２の左方に位置する反射型非球面補正板７５を有している。反射型非球面補正板７５は、偏光ビームスプリッタ７２を透過した電子像の収差を補正するとともに、収差補正後の電子像を偏光ビームスプリッタ７２に反射して戻す機能を持つ。反射型非球面補正板７５の直前には１／４λ板７６が配置されている。裏面反射凹面鏡７３と１／４λ板７４から戻されて偏光ビームスプリッタ７２を透過した電子像は、１／４λ板７６を通って反射型非球面補正板７５で反射され、再び１／４λ板７６を通って偏光ビームスプリッタ７２に戻される。偏光ビームスプリッタ７２は、反射型非球面補正板７５と１／４λ板７６から戻された電子像の一部分（一偏光成分）を前方に反射する。
【００５０】
電子像入射装置７０は、偏光ビームスプリッタ７２の前方に位置する迷光防止用偏光板７７を有している。組み立て上の誤差などにより、液晶表示面７１を最初に出た直接光と偏光ビームスプリッタ７２内で反射と透過を繰り返して射出された正規光の光路が重複することで迷光が発生するおそれがあるが、偏光ビームスプリッタ７２の最後の射出面に迷光防止用偏光板７７を配置することで、上記迷光の発生を防止することが可能になる。
【００５１】
電子像入射装置７０は、迷光防止用偏光板７７を通過した電子像を下斜め後方に反射する反射ミラー７８を有している。迷光防止用偏光板７７を通過した電子像は、反射ミラー７８の反射面の近傍にある拡大結像面ｆで結像（一次結像）される（結像面の一部は反射ミラー７８の反射面上に位置することになるが問題はない）。すなわち、偏光ビームスプリッタ７２、裏面反射凹面鏡７３、１／４λ板７４、反射型非球面補正板７５、１／４λ板７６、迷光防止用偏光板７７及び反射ミラー７８は、液晶表示面７１が表示した電子像を拡大して結像させる「リレー光学系（再結像光学系）」及び「リレー光学系を構成する光学要素」として機能する。以下、拡大結像面ｆで結像（一次結像）された電子像を「拡大電子像」と呼ぶ。
【００５２】
電子像入射装置７０は、反射ミラー７８による拡大電子像を補助プリズム３０の反射面３１に導くコンデンサーレンズ系７９を有している。コンデンサーレンズ系７９は、非球面を有している。コンデンサーレンズ系７９は、リレー光学系（７２〜７８）による電子像の拡大結像面ｆとペンタプリズム２０の間に配置されて、リレー光学系（７２〜７８）とルーペ光学系４０を接続する機能を持つ。
【００５３】
表５は、電子像入射装置７０の液晶表示面７１からカバーガラス５０までの被写体像の光路の折れ曲がりとこれを実現するための各光学要素の配置を把握するためのレンズデータ（アイポイント側からの、実際に光線が通過する方向とは逆向きで表現したレンズデータ）である。表６はルーペ光学系４０と反射型非球面補正板７５とコンデンサーレンズ系７９に設けられた非球面データである。表５と図２Ａ〜図２Ｃは、共通の符号を付すことにより、両者の対応関係を明確にしている。
【００５４】
［表５］
レンズデータ
面番号   R       D       Nd       νｄ    反射面角度         構成要素
1        ∞    1.00   1.51633     64.1                     カバーガラス
2        ∞    3.45      1
3(A)   -16.45  9.00   1.52538     56.3                     ルーペ光学系
4*     -18.69  1.60      1
5*      30.13  7.10   1.52538     56.3
6      -50.00  4.25      1
7*     -35.66  2.95   1.62133     24.8
8(B)*  149.90  2.23      1
9(C)      ∞  32.72   1.51633     64.1                    ペンタプリズム
10(D)     ∞  10.50   1.51633     64.1      α=25°     半透過面（透過光路）
11(e)     ∞  14.00   1.51633     64.1     ε=57.5°    反射面（プリズム内）
12        ∞   0.15      1
13*     15.00 11.00   1.52538     56.3                  コンデンサーレンズ系
14        ∞   7.89      1
15(g)     ∞  10.79      1                 φ=32.5°    反射面（平面ミラー）
16(h)     ∞   0.20   1.49176     57.5                    迷光防止用偏光板
17        ∞   5.00   1.51633     64.1
18(i)     ∞   5.00   1.51633     64.1   η=45.0° 偏光ビームスプリッタ（反射）
19(j)     ∞   0.20   1.49176     57.5                         1/4λ板
20        ∞   1.00      1
21*(k)    ∞   1.00      1                         反射型非球面補正板（反射）
22(j)     ∞   0.20   1.49176     57.5                         1/4λ板
23        ∞   5.00   1.51633     64.1
24(i)     ∞   5.00   1.51633     64.1  η=45.0° 偏光ビームスプリッタ（透過）
25(m)     ∞   0.20   1.49176     57.5                         1/4λ板
26        ∞   2.00   1.51633     64.1
27(n)  -22.50  2.00   1.51633     64.1                     裏面反射凹面鏡
28(m)     ∞   0.20   1.49176     57.5                         1/4λ板
29(i)     ∞   5.00   1.51633     64.1  η=45.0° 偏光ビームスプリッタ（反射）
30        ∞   5.00   1.51633     64.1
31        ∞   1.94      1
32(p)     ∞                                                  液晶表示面
＊は回転対称非球面である。
［表６］
非球面データ
面番号          K          ASP4          ASP6          ASP8
4               0      -7.2450E-06    3.7420E-08    0.0000E+00
5               0      -6.7320E-06    1.0000E-09    0.0000E+00
7               0       1.6860E-05    0.0000E+00    0.0000E+00
8               0       2.3390E-05   -4.2700E-08    1.0370E-10
13           -0.45      0.0000E+00    0.0000E+00    0.0000E+00
21              0       6.0000E-05    6.0000E-07    0.0000E+00
【００５５】
本実施形態では、電子像入射装置（情報入射装置）７０が、情報を表示する液晶表示面（電子像表示部、情報表示部）７１からファインダ視野内に入射させる所定の入射点までの間の少なくとも一部の光軸と、ルーペ光学系４０を構成するレンズの光軸とが、ねじれの位置の関係を取るように、液晶表示面７１から所定の入射点までの間に配置された光学素子を有している。また、リレー光学系の液晶表示面７１から所定の結像面までの光軸の少なくとも一部が、ルーペ光学系４０を構成するレンズの光軸に対してねじれの位置の関係を取っている。より具体的に、リレー光学系の光軸のうち、偏光ビームスプリッタ７２と裏面反射凹面鏡７３（１／４λ板７４）の間で往復する光軸、偏光ビームスプリッタ７２と反射型非球面補正板７５（１／４λ板７６）の間で往復する光軸が、上記ねじれの位置の関係に該当する。この構成により、小型の液晶表示素子で広い表示領域を確保するとともに、小型化を図ることができる。
【００５６】
≪第３実施形態≫
図３Ａ〜図３Ｃを参照して、第３実施形態によるファインダ内表示装置について説明する。第１、第２実施形態によるファインダ内表示装置と重複する部分には同一の符号を付してその説明を省略する。特に、焦点板１０からカバーガラス５０までの被写体像の光路の折れ曲がりとこれを実現するための各光学要素の配置は、第１、第２実施形態のそれと全く同じであるため、表１と表２を流用することにする。
【００５７】
第３実施形態のファインダ内表示装置は、第１実施形態の電子像入射装置６０に代えて、電子像入射装置（情報入射装置）８０を有している。
【００５８】
電子像入射装置８０は、上方に向けて電子像を表示する液晶表示面（電子像表示部、情報表示部）８１を有している。液晶表示面８１は、ペンタプリズム２０の第３反射面２３の上方かつ第３反射面２３の左右方向の中央部より左側に位置している。
【００５９】
電子像入射装置８０は、液晶表示面８１の上方に位置する平面ミラー８２を有している。平面ミラー８２は、液晶表示面８１が表示する電子像を右方に反射する。
【００６０】
電子像入射装置８０は、平面ミラー８２の右方に位置する拡大光学系８３を有している。拡大光学系８３は、平凸正レンズ８４と両凹負レンズ８５を有している。両凹負レンズ８５の入射側の面には、色収差補正の為の回折面が形成されている。また射出面側は非球面補正板として機能する面となっている。拡大光学系８３は、平面ミラー８２から反射された電子像を拡大する機能を持つ。
【００６１】
電子像入射装置８０は、拡大光学系８３が拡大した電子像を上方に反射する平面ミラー８６を有している。また電子像入射装置８０は、平面ミラー８６が上方に反射した電子像を前方に反射する平面ミラー８７を有している。
【００６２】
電子像入射装置８０は、平面ミラー８７で反射された電子像を下斜め後方に反射する反射ミラー８８を有している。平面ミラー８７で反射された電子像は、反射ミラー８８の反射面の近傍にある拡大結像面ｇで結像（一次結像）される（結像面の一部は反射ミラー８８の反射面上に位置することになるが問題はない）。すなわち、平面ミラー８２、拡大光学系８３（平凸正レンズ８４と両凹負レンズ８５）、平面ミラー８６及び平面ミラー８７は、液晶表示面８１が表示した電子像を拡大して結像させる「リレー光学系（再結像光学系）」及び「リレー光学系を構成する光学要素」として機能する。以下、拡大結像面ｇで結像（一次結像）された電子像を「拡大電子像」と呼ぶ。
【００６３】
電子像入射装置８０は、反射ミラー８８による拡大電子像を補助プリズム３０の反射面３１に導くコンデンサーレンズ系８９を有している。コンデンサーレンズ系８９は、非球面を有している。コンデンサーレンズ系８９は、リレー光学系（８２〜８７）による電子像の拡大結像面ｇとペンタプリズム２０の間に配置されて、リレー光学系（８２〜８７）とルーペ光学系４０を接続する機能を持つ。
【００６４】
表７は、電子像入射装置８０の液晶表示面８１からカバーガラス５０までの被写体像の光路の折れ曲がりとこれを実現するための各光学要素の配置を把握するためのレンズデータ（アイポイント側からの、実際に光線が通過する方向とは逆向きで表現したレンズデータ）である。表８はルーペ光学系４０とコンデンサーレンズ系８９と拡大光学系８３の両凹負レンズ８５の射出側の面に設けられた非球面データ及び拡大光学系８３の両凹負レンズ８５の入射側の面に設けられた回折面データである。表７と図３Ａ〜図３Ｃは、共通の符号を付すことにより、両者の対応関係を明確にしている。
【００６５】
［表７］
レンズデータ
面番号   R       D       Nd       νｄ    反射面角度         構成要素
1       ∞     1.00   1.51633     64.1                     カバーガラス
2       ∞     3.45      1
3(A)  -16.45   9.00   1.52538     56.3                     ルーペ光学系
4*    -18.69   1.60      1
5*     30.13   7.10   1.52538     56.3
6     -50.00   4.25      1
7*    -35.66   2.95   1.62133     24.8
8(B)*  149.90  2.23      1
9(C)    ∞    32.72   1.51633     64.1                    ペンタプリズム
10(D)   ∞    10.50   1.51633     64.1        α=25°    半透過面（透過光路）
11(e)   ∞    14.00   1.51633     64.1       ε=57.5°   反射面（プリズム内）
12      ∞     0.15      1
13*    -18.5   9.00   1.52538     56.3                  コンデンサーレンズ系
14      ∞     7.66      1
15(f)   ∞    16.34      1                   φ=32.5°   反射面（平面ミラー）
16(h)   ∞     6.00      1                   η=45.0°   反射面（平面ミラー）
17(i)   ∞     7.67                          ζ=45.0°   反射面（平面ミラー）
18*    -9.5    1.20   1.62133     24.8                       拡大光学系
19**  91.881   0.10      1
20      ∞     2.93   1.77250     49.6
21     -4.5    4.99      1
22(j)   ∞     5.95      1                   ψ=45.0°   反射面（平面ミラー）
23(k)   ∞                                                  液晶表示面
＊は回転対称非球面である。
＊＊は回折面である。
［表８］
非球面データ
面番号  K       ASP4         ASP6         ASP8       ASP10      ASP12
4      0   -7.2450E-06   3.7420E-08   0.0000E+00   0.00E+00   0.00E+00
5      0   -6.7320E-06   1.0000E-09   0.0000E+00   0.00E+00   0.00E+00
7      0    1.6860E-05   0.0000E+00   0.0000E+00   0.00E+00   0.00E+00
8      0    2.3390E-05  -4.2700E-08   1.0370E-10   0.00E+00   0.00E+00
13   -0.4   0.0000E+00   0.0000E+00   0.0000E+00   0.00E+00   0.00E+00
18     0   -5.7000E-03  -3.0000E-04  -5.0000E-05   0.00E+00  -1.70E-06
回折面データ
回折面  面番号  19
光路差関数係数  P2＝-6.2508
設計波長λ＝546ｎｍ
回折次数ｍ＝1
光路差関数（ｈ）＝（P2×ｈ＾2+P4×ｈ＾4+・・・・・）ｍ
ただし、
P2、P4、・・・；光路差関数係数
ｈ；光軸からの距離
【００６６】
本実施形態では、電子像入射装置（情報入射装置）８０が、情報を表示する液晶表示面（電子像表示部、情報表示部）８１からファインダ視野内に入射させる所定の入射点までの間の少なくとも一部の光軸と、ルーペ光学系４０を構成するレンズの光軸とが、ねじれの位置の関係を取るように、液晶表示面８１から所定の入射点までの間に配置された光学素子を有している。また、リレー光学系の液晶表示面８１から所定の結像面までの光軸の少なくとも一部が、ルーペ光学系４０を構成するレンズの光軸に対してねじれの位置の関係を取っている。より具体的に、リレー光学系の光軸のうち、液晶表示面８１から平面ミラー８２までの光軸、平面ミラー８２から拡大光学系８３（平凸正レンズ８４と両凹負レンズ８５）を通って平面ミラー８６に至るまでの光軸、平面ミラー８６から平面ミラー８７までの光軸が、上記ねじれの位置の関係に該当する。この構成により、小型の液晶表示素子で広い表示領域を確保するとともに、小型化を図ることができる。
【００６７】
本実施形態では、拡大光学系を２枚のレンズで構成している。第１、第２実施形態のように裏面反射凹面鏡を使わないので、縦の色収差が発生するが、これを回折面で補正することで、構成レンズの個々のパワーを大きくすることなく拡大光学系を構成し、リレー光学系の小型化を図っている。また球面収差を効果的に補正するために、主光線が集まる位置に透過型非球面補正板として機能する両凹負レンズの入射面を配置し、その後に配置される平凸正レンズの強い凸球面である射出面と両凹負レンズの入射面を適切に配置させることで、コマ収差と非点隔差を良好に補正することができる。
【００６８】
≪第１実施形態〜第３実施形態の光学諸元≫
第１実施形態〜第３実施形態の光学諸元は、以下の通りである。
（１）視野率
光学ファインダ（ＯＶＦ）表示範囲を24×36mm（フルフォーマットサイズ）としたときのスーパーインポーズ（ＳＩ）領域、又は電子ビューファインダ（ＥＶＦ）領域の見かけの表示範囲は16.8×25.2mm（ＯＶＦの70%）
（２）液晶表示部の表示領域
液晶有効画素領域2.97×4.46mm
（３）焦点距離・ルーペ倍率（視度0 Dptr）
ファインダールーペ部とＳＩ光学系の合成焦点距離はｆ＝13.1mm
ルーペ倍率（＝250/ｆ）は19.1倍
（４）アイレリーフ・瞳径
アイレリーフ  最終面から16mm（第１、第２実施形態）、25mm（第３実施形態）
瞳径  φ10（第１、第２実施形態）、φ5（第３実施形態）
（５）光学ファインダ（ＯＶＦ）のみの諸元
ペンタプリズムの光軸に沿った入射面〜射出面間距離は93.8mm
光学ファインダ単独の焦点距離はｆ＝74.76mm（視度0 Dptr）
ルーペ倍率（＝250/ｆ）は3.3倍
【００６９】
≪条件式の説明≫
条件式（１）は、ルーペ光学系の焦点距離と、コンデンサーレンズ系の焦点距離との比を規定している。なお、コンデンサーレンズ系は、複数枚のレンズから構成されていてもよい。条件式（１）を満足することで、コンデンサーレンズ系の機能を良好に発揮して像面湾曲やディストーションを良好に補正するとともに、光学系の全体を小型化することができる。
条件式（１）の上限を超えると、コンデンサーレンズ系のパワーが強くなりすぎて、像面湾曲やディストーションが増大してしまう。
条件式（１）の下限を超えると、コンデンサーレンズ系のパワーが弱くなりすぎて、コンデンサーレンズ系の機能が不十分になるとともに、コンデンサーレンズ系からリレー光学系までの距離が大きくなるため、光学系の全体が大型化してしまう。
【００７０】
条件式（２）は、ルーペ光学系からコンデンサーレンズ系、リレー光学系、液晶表示面の順（表３、表５、表７の各表に示す順）に、コンデンサーレンズ系の後側主点からリレー光学系の前側主点までの間隔と、コンデンサーレンズ系の焦点距離との比を規定している。コンデンサーレンズ系によりルーペ光学系から逆トレースされた光束は、一次結像面を超えた先で、その有効範囲が最も小さくなる位置が存在する。その有効範囲が最も小さくなる位置またはその近傍にリレー光学系を配置することで、つまり条件式（２）を満足することで、リレー光学系全体を（特に径方向に）小型化することができる。
条件式（２）の上限を超えても下限を超えても、コンデンサーレンズ系の後側主点からリレー光学系の前射出側主点までの主点間隔が不適切となり、リレー光学系全体が大型化してしまう。
【００７１】
第１実施形態〜第３実施形態の条件式（１）、（２）の対応数値を表９に示す。
［表９］
第１実施形態      第２実施形態      第３実施形態
条件式（１）         2.6                2.6              2.1
（ｆｅ／ｆｃ）  （74.8/28.6）     （74.8/28.6）     （74.8/35.2）
条件式（２）        1.50               1.50             1.33
（ｄ／ｆｃ）    （42.9/28.6）     （42.9/28.6）     （46.7/35.2）
【００７２】
表９に明らかなように、第１実施形態〜第３実施形態は、条件式（１）、（２）を満足しており、上述した条件式（１）、（２）を満足することによる作用効果を得ることができる。
【符号の説明】
【００７３】
１０  焦点板
２０  ペンタゴナルダハプリズム（正立化部材）
２１  入射面
２２  ダハ面
２３  第３反射面（半透過面）
２４  出射面
３０  補助プリズム（三角プリズム）
３１  反射面（プリズム内）
４０  ルーペ光学系
４１  第１負レンズ
４２  第２正レンズ
４３  第３レンズ
５０  カバーガラス
６０  電子像入射装置（情報入射装置）
６１  液晶表示面（電子像表示部、情報表示部）
６２  偏光ビームスプリッタ（リレー光学系、再結像光学系、光学素子）
６３  裏面反射凹面鏡（リレー光学系、再結像光学系、光学素子）
６４  １／４λ板（リレー光学系、再結像光学系、光学素子）
６５  透過型非球面補正板（リレー光学系、再結像光学系、光学素子）
６６  平面ミラー（リレー光学系、再結像光学系、光学素子）
６７  コンデンサーレンズ一体型プリズム（リレー光学系、再結像光学系、光学素子）
６８  反射面（プリズム内）
６９  コンデンサーレンズ面（コンデンサーレンズ系、射出面）
７０  電子像入射装置（情報入射装置）
７１  液晶表示面（電子像表示部、情報表示部）
７２  偏光ビームスプリッタ（リレー光学系、再結像光学系、光学素子）
７３  裏面反射凹面鏡（リレー光学系、再結像光学系、光学素子）
７４  １／４λ板（リレー光学系、再結像光学系、光学素子）
７５  反射型非球面補正板（リレー光学系、再結像光学系、光学素子）
７６  １／４λ板（リレー光学系、再結像光学系、光学素子）
７７  迷光防止用偏光板（リレー光学系、再結像光学系、光学素子）
７８  反射ミラー（リレー光学系、再結像光学系、光学素子）
７９  コンデンサーレンズ系
８０  電子像入射装置（情報入射装置）
８１  液晶表示面（電子像表示部、情報表示部）
８２  平面ミラー（リレー光学系、再結像光学系、光学素子）
８３  拡大光学系（リレー光学系、再結像光学系、光学素子）
８４  平凸正レンズ（リレー光学系、再結像光学系、光学素子）
８５  両凹負レンズ（リレー光学系、再結像光学系、光学素子）
８６  平面ミラー（リレー光学系、再結像光学系、光学素子）
８７  平面ミラー（リレー光学系、再結像光学系、光学素子）
８８  反射ミラー
８９  コンデンサーレンズ系
【図１】
2018151588.tif 000003
【図２】
2018151588.tif 000004
【図３】
2018151588.tif 000005